(57)【特許請求の範囲】
【請求項１】
ルアーコーン（２）およびこれを取り囲むねじ付きスリーブ（４）を備え、前記ねじ付きスリーブ（４）が前記ルアーコーン（２）の脚部にその長軸を中心として回転可能に取り付けられたルアーロックコネクタであって、
前記ねじ付きスリーブ（４）と前記ルアーコーン（２）との間にクランプ手段（２２，２４）が設けられ、
前記クランプ手段は、前記ルアーコーン（２）に雌型対応部材が装着された状態で、前記ねじ付きスリーブ（４）を回転させまたは前記ねじ付きスリーブ（４）内で前記雌型対応部材を回転させることにより、前記ねじ付きスリーブ（４）と前記ルアーコーン（２）の脚部との間でクランプが達成されるように構成されており、
前記クランプ手段は、前記ルアーコーン（２）の脚部の少なくとも１つの当接面（２２）と前記ねじ付きスリーブ（４）の対向当接面（２４）とを有し、
前記対向当接面（２４）は、前記当接面（２２）に対し、前記ルアーコーン（２）の長軸（Ｘ）に関して径方向に向かい合っており、
前記当接面（２２）と前記対向当接面（２４）とは、環状に構成されており、前記当接面（２２）および／または前記対向当接面（２４）は、前記ルアーコーン（２）の長軸（Ｘ）に対して偏心的に配置されており、
前記当接面（２２）と前記対向当接面（２４）は、前記ルアーコーン（２）に前記雌型対応部材が装着された状態で、前記ねじ付きスリーブ（４）を回転させまたは前記ねじ付きスリーブ（４）内で前記雌型対応部材を回転させることにより、相互に係合するように配置されている、
ことを特徴とするルアーロックコネクタ。
【請求項２】
前記クランプ手段は、前記ねじ付きスリーブ（４）を回転させまたは前記ねじ付きスリーブ（４）内で前記雌型対応部材を回転させることにより、前記ねじ付きスリーブと前記ルアーコーンの脚部との間に摩擦係合結合および／または噛合係合結合を生じさせるように構成されている、請求項１に記載のルアーロックコネクタ。
【請求項３】
前記ねじ付きスリーブ（４）は、前記ルアーコーン（２）の脚部上でクリアランスをもって保持され、前記クリアランスは、前記雌型対応部材と前記ルアーコーン（２）および前記ねじ付きスリーブ（４）との係合によって消失するように寸法決めされており、これにより、前記当接面（２２）と前記対向当接面（２４）とが相互に係合する、請求項１又は２に記載のルアーロックコネクタ。
【請求項４】
前記当接面（２２）および／または前記対向当接面（２４）は、異形断面の表面（２８，３０）を有する、請求項１から３までのいずれか１項に記載のルアーロックコネクタ。
【請求項５】
前記ルアーコーン（２）の長軸（Ｘ）に関し、前記対向当接面（２４）は、前記当接面（２２）の区域（２６）よりも径方向でさらに内側に位置する区域を有し、前記ねじ付きスリーブは、前記ルアーコーン（２）の脚部において径方向のクリアランスをもって配置されている、請求項１に記載のルアーロックコネクタ。
【請求項６】
前記ルアーコーン（２）と前記ねじ付きスリーブ（４）とは、異なる材料で作製されている、請求項１から５までのいずれか１項に記載のルアーロックコネクタ。
【発明の詳細な説明】
【技術分野】
【０００１】
本発明は、ルアーロックコネクタに関する。
【背景技術】
【０００２】
ねじ付きスリーブがルアーコーンを取り囲み、このねじ付きスリーブがルアーコーンに対してその長軸を中心として相対的に回転可能であるルアーロックコネクタが知られている。この構成は、たとえばねじ付きスリーブを回転させることにより、ルアーコーンの回転を必要とせずにルアーコーン上で雌型対応部材を固定し得るように利用することができる。その一方で、たとえばガラス注射器について一般的であるように、ルアーコーンとねじ付きスリーブとが異なる材料でできており、互いに嵌め合わされている場合は、ねじ付きスリーブの回転が避けられないことがある。この構成で特に問題となるのは、水分またはシリコンオイル等の潤滑剤がルアーコーンに付着したり、ねじ付きスリーブのねじ山に染み込んだりした場合や、ＰＴＦＥ等の特に平滑な材料が使用されている場合に、結合が容易に外れ得ることである。
【発明の概要】
【発明が解決しようとする課題】
【０００３】
上記に関し、本発明の目的は、ルアーコーンに対して固定的に結合されていないねじ付きスリーブを備えるルアーロックコネクタを、その雌型対応部材に対する結合が意図せずに外れることのないように改良することである。
【課題を解決するための手段】
【０００４】
この課題は、請求項１に明らかにした特徴を備えるルアーロックコネクタにより解決される。好ましい実施形態は、従属請求項、以下の説明、更には添付の図面から明らかとなる。
【０００５】
本発明に係るルアーロックコネクタは、公知のように、ルアーコーンと、これを取り囲むねじ付きスリーブと、を備える。ねじ付きスリーブは、ルアーコーンの自由端から離れた端部、つまり、ルアーコーンの脚部に取り付けられる。そのために、ねじ付きスリーブは、ルアーコーンの脚部外周上の環状溝に係合する、径方向内側を向く突起を有する。このようにして、ねじ付きスリーブは、ルアーコーンの周りでその長軸を中心として回転可能である。径方向内側を向くねじ付きスリーブの突起は、たとえば溝内において周方向に摺動することができる。溝および突起は、ルアーコーンの長軸方向におけるねじ付きスリーブの軸上可動性を制限ないし防止する、軸方向の固定部を形成するものである。
【０００６】
本発明によると、ねじ付きスリーブとルアーコーンの脚部との間に追加のクランプ手段が設けられ、このクランプ手段は、雌型対応部材がルアーコーンに装着されまたはねじ付きスリーブにねじ込まれたときに、回転止めを形成する。このクランプ手段により、ねじ付きスリーブが意図せずに、特に自動的に、たとえば外部振動により回転し、この回転によりルアーロックコネクタと雌型対応部材との結合が緩んでしまうことが防止される。クランプ手段は、ルアーコーンに雌型対応部材が装着されているときに、ねじ付きスリーブを回転させまたはねじ付きスリーブ内で雌型対応部材を回転させることにより、ねじ付きスリーブとルアーコーンの脚部との間でクランプが達成されるように構成される。このクランプにより、結合部における更なる固定が提供される。従来のルアーロックコネクタでは、ルアーコーンの円錐状外面と雌型対応部材との間の固定が、摩擦力により達成される。さらに、ねじ付きスリーブのねじ山により、軸方向の固定が実現される。しかし、従来のルアーロックコネクタでは、ねじ付きスリーブは、ねじ山において摩擦力により保持されるに過ぎない。本発明によれば、クランプ手段により、ねじ付きスリーブとルアーコーンの脚部におけるその支持部との間で直接的に、摩擦係合式および／または噛合係合式の追加の結合またはクランプが実現される。クランプ手段は、追加の固定のため、ねじ付きスリーブとルアーコーンの脚部との間で回転止めのための噛合式および非噛合式の係合が達成されるように、好ましくはねじ付きスリーブおよび／またはルアーコーンの脚部に直接的に構成される。つまり、クランプ手段は、噛合式および非噛合式の係合により作用する結合要素を形成するのである。この追加の固定により、特に水分または潤滑剤がねじ山やルアーコーンに付着している場合にあっても確りとした保持を成立させることができる。さらに、本発明に係るクランプ手段は、ルアーコーンの脚部領域、すなわちルアーコーンの自由端から離れた端部に配置されるので、たとえばカートリッジが予め充填されている場合に、ルアーロックコネクタから流出した液体がクランプ手段の領域へ達するのを防止することができる。
【０００７】
クランプ手段は、ルアーコーンの脚部の少なくとも１つの当接面と、ねじ付きスリーブの対向当接面と、を有するのが好ましく、これらの当接面は、ルアーコーンにねじ止めされる雌型対応部材を介し、ねじ付きスリーブと雌型対応部材との間の相対的な回転により相互に係合するように配置される。ねじ付きスリーブおよび雌型対応部材間の相対回転は、ねじ付きスリーブおよび／または雌型対応部材を回転させることにより達成することができる。ねじ付きスリーブは、雌型対応部材が装着されていない限り回転自在であるのが好ましい。このようにして、ねじ付きスリーブを雌型対応部材のねじ山に公知の方法で噛み合わせ、雌型対応部材を、ねじ付きスリーブを介してルアーコーンに引き寄せることができる。当接面と対向当接面とは、雌型対応部材がルアーコーン上でクランプされたときに初めて、摩擦接触または係合するように配置ないし構成される。このようにして、雌型対応部材がルアーコーンに対して確りと当接するまで、ねじ付きスリーブの自由な回転可能性が保証され、その後で初めて、ねじ付きスリーブの回転止めとして当接面と対向当接面との間で追加のクランプが達成される。
【０００８】
ねじ付きスリーブは、ルアーコーンの脚部でクリアランス（遊び）をもって保持されるのがさらに好ましく、このクリアランスが雌型対応部材の、ルアーコーンおよびねじ付きスリーブとの係合により消失することで、当接面と対向当接面とが相互に係合するように寸法決めされる。これは、ルアーコーンの長軸に関して軸方向および／または径方向のいずれのクリアランスであっても同様である。このクリアランスは、雌型対応部材がルアーコーンに装着されていない限り、ねじ付きスリーブの自由な回転可能性を保証する。その後に初めて、ねじ付きスリーブを雌型対応部材のねじ山に噛み合わせおよび／または雌型対応部材をねじ付きスリーブにねじ込むことで、ルアーコーンの脚部に対するねじ付きスリーブの相対的な移動により、軸方向および／または径方向のいずれかにおいてクリアランスが消失し、当接面と対向当接面とが相互に当接する。
【０００９】
ただし、本発明に係る追加のクランプ手段は、雌型対応部材へのねじ止めのためにねじ付きスリーブとルアーロックコネクタとの間の回転可能性が望まれる場合でしか適用できないわけではない。ねじ付きスリーブが実際には回転可能に構成されていないが、ルアーコーンとねじ付きスリーブとの間の材料の組み合わせにより回転を完全には妨げることができないルアーロックコネクタも知られている。このことは、たとえばプラスチック製のねじ付きスリーブがガラス製のルアーコーンないしその脚部に装着される、ガラス注射器の場合にも該当し得る。これらのルアーロックコネクタについてもまた、雌型対応部材とルアーコーンを備えるルアーロックコネクタとを結合させたときにねじ付きスリーブの回転を防止するため、追加のクランプ手段を適用することができる。このような構成では、クランプ手段のクランプを生じさせるねじ付きスリーブおよび雌型対応部材間の相対回転は、ねじ付きスリーブ内で雌型対応部材を回転させることにより達成されるのが好ましい。
【００１０】
本発明の別の実施形態では、当接面および／または対向当接面は、異形断面の表面を有する。異形断面の表面ないし構造化された表面は、当接面と対向当接面との間の摩擦力を高めるために利用することができる。これらの表面はまた、当接面と対向当接面との間で噛合係合による結合を生じさせる異形断面を有してもよい。当接面と対向当接面とは、たとえば歯を夫々有するように構成され、歯が互いに噛み合い、回転止めを形成する。このような異形断面を有する、特に歯を設けた構造は、結合を解除し得るように構成することができる。これは、ねじ付きスリーブまたはねじ込まれた雌型対応部材に対し、当接面および対向当接面間の摩擦力を克服するほどの高いトルクを印加することにより達成される。ここで、摩擦力ないしクランプ手段のクランプ力、特に当接面および対向当接面の態様のクランプ手段のクランプ力は、たとえば外部振動により結合が意図せずに解除されることのない程度に、解除トルクが高くなるように選択される。さらに、当接面および対向当接面の異形断面ないし歯の設計により、クランプを、破壊を伴わずには解除できないようにすることも可能である。そのために、たとえば片側に傾斜した側面かアンダーカットかを歯に設け、歯をラチェット機構として作用させてもよい。
【００１１】
別の好ましい実施形態では、当接面および／または対向当接面は、環状、特に円環状に構成される。これにより、対向当接面により当接面を環状に取り囲むことができる。当接面および／または対向当接面は、ルアーコーンの脚部におけるねじ付きスリーブ用案内の一部であってよい。これは、当接面がルアーコーンの脚部における溝の一部であってよく、たとえば溝の底面または溝の１つの壁面であってよいことを意味する。対向当接面は、先に説明した溝に係合する径方向内側を向くねじ付きスリーブの突起の、対応する環状内周面または軸方向の一方の端面であってよい。当接面および／または対向当接面の環状の構成により、ルアーコーンおよびねじ付きスリーブ間のいかなる角度位置においてもクランプを達成することが可能となる。このことは、雌型対応部材が通常、ルアーコーンの長軸に関してあらゆる角度位置でルアーコーンに装着されるという理由から、特に好ましい。
【００１２】
ルアーコーンの脚部の当接面は、円錐状に構成されるのが好ましく、この円錐状の当接面は、ルアーコーンとは反対方向に先細りとなっている。このことは、ルアーコーンがその自由端から脚部にかけて公知の方法で直径において拡張されることを意味する。さらに、ルアーコーンの脚部には、たとえばねじ付きスリーブの径方向の突起を収容するための溝の内部に、反転方向に先細りとなる当接面が形成される。これは、当接面がルアーコーンの自由端を向く端部において最大の直径を有することを意味する。この構成により、雌型対応部材がルアーコーンに装着され、ねじ付きスリーブが雌型対応部材のねじ山に噛み合わされまたは雌型対応部材がねじ付きスリーブにねじ込まれたときに、ねじ付きスリーブの対向当接面、すなわち対応当接エッジを、円錐状の当接面にクランプ式に当接させることができる。ねじ付きスリーブを雌型対応部材にねじ嵌めまたは雌型対応部材をねじ込むことにより、雌型対応部材がルアーコーンに引き寄せられまたはルアーコーンに押し付けられる。これにより、同時に、ねじ付きスリーブには、ルアーコーンの自由端の方向に軸方向の反力が生じる。この力は、対向当接面を円錐状の当接面に押し付けるのに利用され、クランプまたは摩擦力によりねじ付きスリーブがルアーコーンの脚部で回転するのを防止する、追加のクランプ手段が実現される。
【００１３】
そのために、対向当接面は、当接面に対応して円錐状に構成され、ルアーコーンの長軸に関して当接面と同じ角度で傾斜するのが好ましい。この角度は、ルアーコーンの角度と同様に６°前後であってよい。当接面と対向当接面とは、対応した円錐状の構成により広い面で当接させることができ、これらの表面の間で大きな摩擦力を生じさせ、好ましくはセルフロックを実現することができる。
【００１４】
当接面と対向当接面とは、ルアーコーンの長軸に対して同心的に配置されるのがさらに好ましい。これにより、解除状態において、対向当接面を、当接面を中心としてまたは当接面に対して相対的に移動させ、ねじ付きスリーブを、ルアーコーンを中心として回転させることを可能とする。
【００１５】
別の好ましい実施形態では、対向当接面は、当接面に対し、ルアーコーンの長軸に関して径方向に向かい合う。ここで、当接面は、たとえばねじ付きスリーブの径方向の突起を収容するための溝内で、外方を向き、ルアーコーンの脚部の周りで延伸する円筒状の環状面であってよい。対向当接面は、内方を向くねじ付きスリーブの環状円筒面であってよく、当接面を外周に亘って取り囲む。このようにして、当接面と対向当接面とがいかなる角度位置においても互いに向かい合うことが保証される。しかし、当接面または対向当接面は、ルアーコーンの長軸を中心として外周全体ではなく、限られた周上区域のみにおいて延伸させることもできる。そのために、向かい合う他方の面が閉じた円環状に構成され、いかなる角度位置においても当接が引き続き達成されるのが好ましい。
【００１６】
本発明のさらに別の実施形態では、対向当接面は、ルアーコーンの長軸に関して当接面の区域よりも径方向でさらに内側に位置する区域を有し、ねじ付きスリーブは、ルアーコーンの脚部において、径方向のクリアランスをもって配置される。ここで、径方向のクリアランスは、解除状態において、すなわち雌型対応部材がルアーコーンに装着されていないときに、ねじ付きスリーブを、ルアーコーンを中心としてクリアランスにより回転させることができるように選択されるのが好都合である。対向当接面は、ねじ付きスリーブのクリアランスによる径方向の動きにより、いかなる個所においても当接面を通過する。しかし、先に説明したように、当接面と対向当接面とは、雌型対応部材を挿入してねじ付きスリーブをそのねじ山と噛み合せる際に径方向のクリアランスが消失し、当接面と対向当接面とが互いに押し合わされるように構成されるのが好ましい。特に径方向でさらに内側に位置する対向当接面の区域は、当接面に対してクランプ式に当接する。
【００１７】
このことは、たとえば当接面と対向当接面とが環状に、特に円環状に構成され、当接面および／または対向当接面がルアーコーンの長軸に対して偏心的に配置されることにより実現することができる。ここで、ねじ付きスリーブのクリアランスは、雌型対応部材が挿入されていない状態で、ねじ付きスリーブをルアーコーンの脚部に対して相対的に径方向に変位させて、環状の当接面と環状の対向当接面とのそれぞれの軸を実質的に重ね合わせ、両者を互いに相対回転させることができるように選択されてよい。ねじ付きスリーブの長軸をルアーコーンの長軸に対して平行に変位させる。径方向のクリアランスは、偏心度に略一致するか、またはこれよりも若干小さいのが好ましい。雌型対応部材を挿入することにより、ねじ付きスリーブの長軸がルアーコーンの長軸とセンタリングされ、環状の当接面と環状の対向当接面とがもはや同心的ではなく、互いに偏心的に配置され、周上区域において当接面と対向当接面とのクランプ式の接触が生じる。この周上区域、特に当接面の円周区域には、異形断面がさらに付されていてもよい。当接面は、環状に構成され、ルアーコーンの長軸に対して平行にオフセットされた中心軸ないし長軸を有しているのが好ましい。
【００１８】
一方では円錐状の当接面であり、もう一方では互いに偏心的な当接面および対向当接面であるクランプ手段の構成に関する先に説明した２つの例のほか、他の代替構成、ねじ付きスリーブを雌型対応部材に噛み合わせまたは雌型対応部材をねじ付きスリーブにねじ込むことにより、互いにクランプ式に当接させることのできる、たとえば楔形面を想定することができる。
【００１９】
本発明による構成は、ルアーコーンとねじ付きスリーブとが異なる材料で作製されたルアーロックコネクタに、特に適する。ルアーコーンがガラス製の注射器ないしカートリッジの一部としてガラスからなり、ねじ付きスリーブがプラスチックからなる場合等である。プラスチック製のねじ付きスリーブの、ガラス製のルアーコーンの脚部への取り付けについて、回転止めされた固定は、従来必ずしも可能ではなかった。本発明に係る構成により、少なくとも対応部材に結合された状態では、このような固定が可能となる。さらに、本発明に係る構成は、ＰＴＦＥ等の自己潤滑特性を有する材料を使用する場合に、特に適する。このような材料について、ねじ付きスリーブが対応部材に結合されたときに、追加のクランプ手段によりねじ付きスリーブを確実に固定することができる。
【００２０】
本発明について、添付図面を参照しつつ以下に例示により説明する。
【図面の簡単な説明】
【００２１】
【図１】本発明の第１実施形態を模式的に示す断面図
【図２】図１のII部分を示す拡大図
【図３】図１の実施形態の変形例を示す斜視断面図
【図４】本発明の第２実施形態に係るルアーコーンを示す模式図
【図５】ねじ付きスリーブが装着された図４のルアーコーンを示す、長軸に対して垂直に切断した図
【図６】図４の実施形態の変形例に係るルアーコーンを示す斜視図
【図７】ねじ付きスリーブが据え付けられまたは装着された図６のルアーコーンを示す、長軸に対して垂直に切断した図
【発明を実施するための形態】
【００２２】
図１は、ルアーコーン２とこれを取り囲むねじ付きスリーブ４とを有する、本発明の第１実施形態に係るルアーロックコネクタを示し、ねじ付きスリーブは、その内周面６上に、ルアーロックコネクタにおいて通常用いられるような、図示しない雌ねじを有している。ねじ付きスリーブ４は、ルアーコーン２の自由端８から離れた端部に、ルアーコーン２の脚部の環状溝１２に嵌り込む、径方向内側を向く環状突起１０を有している。このようにして、ねじ付きスリーブ４は、ルアーコーン２に対し、ルアーコーン２の長軸Ｘを中心として公知の方法で回転可能であるが、軸方向Ｘには固定されている。従って、ねじ付きスリーブ４を、その図示しない雌ねじにより、ルアーコーン２に装着される雌型対応部材の対応する雄ねじに噛み合せることで、この対応部材をルアーコーン２に当接させることができる。
【００２３】
本発明では、ねじ付きスリーブ４が図示しない対応部材と係合した状態にある場合に、ねじ付きスリーブ４の回転止めを形成する追加のクランプ手段が設けられる。このクランプ手段は、当接面１４および対向当接面１６により構成される。当接面１４は、溝１２の底面により形成されるのに対し、対向当接面１６は、ねじ付きスリーブ４の環状突起１０の内周面により形成される。当接面１４、更には対向当接面１６は、円錐状に形成されている。ここで、傾斜角は、円錐がルアーコーン２に対して反対方向に先細りとなるように選択されている。このことは、直径がより小さい当接面１４と対向当接面１６との軸端部が、ルアーコーン２の自由端８から離れた当接面１４および対向当接面１６の端部であることを意味する。当接面１４、更には対向当接面１６の傾斜角は、ルアーコーンの傾斜角と実質的に一致していてよい。
【００２４】
特に図２から分かるように、溝１２は、軸方向Ｘにおいて突起１０よりも広く、これにより、ねじ付きスリーブ４とルアーコーン２との間で軸方向のクリアランス（遊び）１８が存在している。このように、図１および図２に示す解除状態において、ねじ付きスリーブ４は、ルアーコーン２の自由端８から後方に向けて僅かに動かすことができ、これにより、図２に示すように、当接面１４と対向当接面１６とは、相互にクランプないし固着するように当接した状態にはない。このことは、ねじ付きスリーブ４がルアーコーン２を中心として自由に回転可能であることを意味する。ここで、雌型対応部材がルアーコーン２に装着され、ねじ付きスリーブ４の雌ねじが雌型対応部材の雄ねじと噛み合うと、雌型対応部材がルアーコーン２に対して軸方向に押し付けられ、同時に、ねじ付きスリーブ４がルアーコーン２の自由端８の方向に押されまたは変位する。これにより、当接面１４と対向当接面１６とが互いに当接し、相互に押し付けられる。このようにして、当接面１４と対向当接面１６との間に追加の摩擦、すなわち追加のクランプが形成され、このクランプにより、長軸Ｘを中心とするねじ付きスリーブ４の回転が防止される。それにも拘わらず、たとえば結合を解除するために長軸Ｘを中心としてねじ付きスリーブ４を回転させるには、より大きなトルクを印加して、当接面１４と対向当接面１６との間の摩擦力を克服しなければならない。この大きなモーメントは、たとえば振動による意図しない解除を確実に防止することができるほどの大きさであってよい。このように、本発明によれば、ルアーコーン２またはその脚部とねじ付きスリーブ４との間で追加のクランプが直接的に形成され、この追加のクランプにより、対応部材と結合された場合に、ねじ付きスリーブ４の回転が防止される。
【００２５】
図３は、図１および図２に示す実施形態の変形例を示している。本実施形態では、溝１２に円錐状の当接面１４が同じく設けられているが、この当接面は、溝の底面において軸方向の長さ全体に亘って延びているのではない。円錐状の当接面１４は、本実施形態では寧ろ、ルアーコーンの自由端８から離れた溝１２の端部にのみ設けられている。さらに、本実施形態では、突起１０において、同じく円錐状である対応する対向当接面１６が設けられていない。対向当接面１６は寧ろ、突起１０の前端縁２０、すなわちルアーコーン８の自由端に向く端縁（エッジ）により、接触線の態様で形成されている。この端縁２０は、クランプされまたは結合された状態で当接面１４に接触する。線状の当接領域により高い面圧が得られるので、本実施形態においてもまた、ねじ付きスリーブ４の回転止めのための、ねじ付きスリーブ４とルアーコーン２との間の確りとしたクランプが達成される。これ以外の点では、図３の実施形態は、先に説明した実施形態と一致する。
【００２６】
図４から図７に示す実施形態では、ねじ付きスリーブ４とルアーコーン２との間のクランプは、先に説明した実施形態のように軸方向にではなく、径方向に達成される。
図４は、ルアーコーン２を、ねじ付きスリーブが装着されていない状態で示している。本実施形態においてもまた、ねじ付きスリーブの径方向突起を収容するための溝１２は、ルアーコーン２の脚部、すなわち自由端８から離れた端部に設けられている。本実施形態では、溝の底面２２もクランプ手段の一部として当接面を形成する。当接面２２は、円環状に構成されているが、ルアーコーン２の長軸Ｘに対して同心的ではなく、偏心的であり、これにより、円環状の当接面２２の長軸ないし中心軸は、ルアーコーン２の長軸Ｘに対して平行にオフセットされている。図５に示す断面図において認めることができるように、本実施形態においてもまた、ねじ付きスリーブ４は、その突起が溝１２に係合している。これにより、突起１２の内周面が対向当接面２４を形成する。対向当接面２４は、同じく円環状に構成され、円筒状の当接面２２よりも直径が僅かに大きい円筒状をなしている。対向当接面２４は、雌ねじが設けられたねじ付きスリーブ４の内面６（図１から図３を参照）に対して同心的に構成されている。換言すれば、雌型対応部材がルアーコーン２に装着されると、ねじ付きスリーブ４がルアーコーン２の長軸Ｘに対してセンタリングされ、対向当接面２４もこの長軸Ｘに対してセンタリングされる。その一方で、当接面２２がルアーコーン２の長軸Ｘに対して偏心的に構成されているので、周上区域２６において、当接面２４と対向当接面２６との間の摩擦係合式ないしクランプ式の当接が生じる。つまり、結合に際してなされるねじ付きスリーブ４のセンタリングにより、対向当接面２６が当接面２４に押し付けられるのである。当接面２２と対向当接面２４との当接が生じる周上区域２６は、当接面２２がルアーコーンの長軸Ｘに対して最大の径方向間隔を有する周上区域である。対向当接面２４および当接面２２の内径の寸法は、ねじ付きスリーブがセンタリングされた位置にあるときに、対向当接面２４の半径が、ルアーコーン２の長軸Ｘから当接面２２までの最大の径方向間隔よりも理想的には少なくとも僅かに小さくなるように選択されている。このようにして、確実なクランプが達成される。
【００２７】
図６および図７は、当接面２２と対向当接面２４との異形断面が歯２８，３６の態様で付加的に設けられた、図４および図５の実施形態の変形例を示している。このようにして、当接面２２が対向当接面２４に当接する周上区域２６では、摩擦係合結合だけでなく、更には噛合係合結合が達成されている。歯２８は、対向当接面２４の内周全体に亘って設けられている。これに対し、対応する歯３０は、当接面２２上において、当接面２２と対向当接面２４とが係合する周上区域２６にのみ形成されている。歯２８および歯３０は、互いに対応し、歯２８および歯３０が互いに噛み合うことができるように、実質的に等しい歯の断面形状を持たせて構成されている。同時に、対向当接面２４の内径は、解除状態において、すなわち対向当接面２４の中間軸がルアーコーン２の長軸Ｘに対して平行にオフセットされているときに、対向当接面２４を当接面２２の周りで回転させることができるように、当接面２２の外径よりも大きく選択されている。このようにして、ねじ付きスリーブ４を、解除状態においてルアーコーン２の周りで自由に回転させることが可能となる。
【００２８】
当然ながら、以上の説明に係る当接面１４および２２、更には対向当接面１６および２４には、異なる態様の異形断面を持たせることもでき、特に第１実施形態の当接面１４および／または対向当接面１６には、追加の噛合係合結合のための異形断面ないし構造を持たせることができる。
【００２９】
以上の実施例では、ねじ付きスリーブ４は、回転可能に構成されており、雌型対応部材およびねじ付きスリーブ４のねじ止めは、ねじ付きスリーブを回転させることによりなされる。しかし、ねじ付きスリーブ４とルアーコーンの脚部との間の上記のクランプは、回転させるのがねじ付きスリーブ４ではなく、これにねじ止めされる雌型対応部材である場合であっても同様にして達成することができる。
出願当初の特許請求の範囲は、以下のようであった。
［請求項１］
ルアーコーン（２）およびこれを取り囲むねじ付きスリーブ（４）を備え、前記ねじ付きスリーブ（４）が前記ルアーコーン（２）の脚部にその長軸を中心として回転可能に取り付けられたルアーロックコネクタであって、
前記ねじ付きスリーブ（４）と前記ルアーコーン（２）との間にクランプ手段（１４，１６；２２，２４）が設けられ、
前記クランプ手段は、前記ルアーコーン（２）に雌型対応部材が装着された状態で、前記ねじ付きスリーブ（４）を回転させまたは前記ねじ付きスリーブ（４）内で前記雌型対応部材を回転させることにより、前記ねじ付きスリーブ（４）と前記ルアーコーン（２）の脚部との間でクランプが達成されるように構成されている、
ことを特徴とするルアーロックコネクタ。
［請求項２］
前記クランプ手段は、前記ねじ付きスリーブ（４）を回転させまたは前記ねじ付きスリーブ（４）内で前記雌型対応部材を回転させることにより、前記ねじ付きスリーブと前記ルアーコーンの脚部との間に摩擦係合結合および／または噛合係合結合を生じさせるように構成されている、請求項１に記載のルアーロックコネクタ。
［請求項３］
前記クランプ手段は、前記ルアーコーン（２）の脚部の少なくとも１つの当接面（１４；２２）と前記ねじ付きスリーブ（４）の対向当接面（１６；２４）とを有し、これらの当接面は、前記ルアーコーン（２）に前記雌型対応部材が装着された状態で、前記ねじ付きスリーブ（４）を回転させまたは前記ねじ付きスリーブ（４）内で前記雌型対応部材を回転させることにより、相互に係合するように配置されている、請求項１または２に記載のルアーロックコネクタ。
［請求項４］
前記ねじ付きスリーブ（４）は、前記ルアーコーン（２）の脚部上でクリアランスをもって保持され、前記クリアランスは、前記雌型対応部材と前記ルアーコーン（２）および前記ねじ付きスリーブ（４）との係合によって消失するように寸法決めされており、これにより、前記当接面（１４；２２）と前記対向当接面（１６；２４）とが相互に係合する、請求項３に記載のルアーロックコネクタ。
［請求項５］
前記当接面（２２）および／または前記対向当接面（２４）は、異形断面の表面（２８，３０）を有する、請求項３または４に記載のルアーロックコネクタ。
［請求項６］
前記当接面（１４；２２）および／または前記対向当接面（１６；２４）は、環状に構成されている、請求項３から５までのいずれか１項に記載のルアーロックコネクタ。
［請求項７］
前記当接面（１４）は、前記ルアーコーン（２）の脚部において円錐状に構成され、この円錐状の前記当接面（１４）は、前記ルアーコーン（２）とは反対方向に先細りになっている、請求項３から６までのいずれか１項に記載のルアーロックコネクタ。
［請求項８］
前記対向当接面（１６）は、前記当接面（１４）に対応して円錐状に構成されている、請求項７に記載のルアーロックコネクタ。
［請求項９］
前記当接面（１４）および前記対向当接面（１６）は、前記ルアーコーン（２）の長軸に対して同心的に配置されている、請求項７または８に記載のルアーロックコネクタ。
［請求項１０］
前記対向当接面（２４）は、前記当接面（２２）に対し、前記ルアーコーン（２）の長軸（Ｘ）に関して径方向に向かい合っている、請求項１から９までのいずれか１項に記載のルアーロックコネクタ。
［請求項１１］
前記ルアーコーン（２）の長軸（Ｘ）に関し、前記対向当接面（２４）は、前記当接面（２２）の区域（２６）よりも径方向でさらに内側に位置する区域を有し、前記ねじ付きスリーブは、前記ルアーコーン（２）の脚部において径方向のクリアランスをもって配置されている、請求項１０に記載のルアーロックコネクタ。
［請求項１２］
前記当接面（２２）と前記対向当接面（２４）とは、環状、特に円環状に構成されており、前記当接面（２２）および／または前記対向当接面（２４）は、前記ルアーコーン（２）の長軸（Ｘ）に対して偏心的に配置されている、請求項１０または１１に記載のルアーロックコネクタ。
［請求項１３］
前記ルアーコーン（２）と前記ねじ付きスリーブ（４）とは、異なる材料で作製されている、請求項１から１２までのいずれか１項に記載のルアーロックコネクタ。
【符号の説明】
【００３０】
２…ルアーコーン、４…ねじ付きスリーブ、６…内周面、８…自由端、１０…突起、１４…当接面、１６…対向当接面、１８…軸方向のクリアランス、２０…端縁、２２…当接面、２４…対向当接面、２６…周上区域、２８，３０…歯、Ｘ…ルアーコーンの長軸。
【図１】
0005650722.tif 000002
【図２】
0005650722.tif 000003
【図３】
0005650722.tif 000004
【図４】
0005650722.tif 000005
【図５】
0005650722.tif 000006
【図６】
0005650722.tif 000007
【図７】
0005650722.tif 000008